(57)【要約】【課題】  ポインティングデバイスを使用してインタラクティブな画像処理を行って所望の状態に画像処理された医用画像を得る。【解決手段】  画像処理実行中の医用画像データを表示画面に画像表示する画像表示手段と、ポインティングデバイスに設けられたボタンの押下を検出すると共に、画像上に表示されているポインタを移動させるためのポインティングデバイスの水平方向移動量と垂直方向移動量とを検出する操作入力部と、所定のボタンの押下が検出された場合に、該ボタンの押下中に検出されたポインティングデバイスの水平方向移動量と垂直方向移動量とに応じた複数のパラメータに基づいて前記画像データに画像処理として周波数処理を施す画像処理部と、を有する。【選択図】      図１
2006081782.tif 000002
【特許請求の範囲】
【請求項１】
被写体を撮影することにより生成された医用画像データに画像処理を施す医用画像処理方法であって、
画像処理実行中の医用画像データを表示画面に画像表示し、
ポインティングデバイスに設けられたボタンの押下を検出すると共に、画像上に表示されているポインタを移動させるためのポインティングデバイスの水平方向移動量と垂直方向移動量とを検出し、
所定のボタンの押下が検出された場合に、該ボタンの押下中に検出されたポインティングデバイスの水平方向移動量と垂直方向移動量とに応じた複数のパラメータに基づいて前記画像データに画像処理として周波数処理を施す、
ことを特徴とする医用画像処理方法。
【請求項２】
被写体を撮影することにより生成された医用画像データに画像処理を施す医用画像処理方法であって、
画像処理実行中の医用画像データを表示画面に画像表示し、
ポインティングデバイスに設けられたボタンの押下を検出すると共に、画像上に表示されているポインタを移動させるためのポインティングデバイスの水平方向移動量と垂直方向移動量とを検出し、
所定のボタンの押下が検出された場合に、該ボタンの押下中に検出されたポインティングデバイスの水平方向移動量と垂直方向移動量とに応じた複数のパラメータに基づいて前記画像データに画像処理として階調処理を施し、
他の所定のボタンの押下が検出された場合に、該ボタンの押下中に検出されたポインティングデバイスの水平方向移動量と垂直方向移動量とに応じた複数のパラメータに基づいて前記画像データに画像処理として周波数処理を施す、
ことを特徴とする医用画像処理方法。
【請求項３】
被写体を撮影することにより生成された医用画像データに画像処理を施す医用画像処理装置であって、
画像処理実行中の医用画像データを表示画面に画像表示する画像表示手段と、
ポインティングデバイスに設けられたボタンの押下を検出すると共に、画像上に表示されているポインタを移動させるためのポインティングデバイスの水平方向移動量と垂直方向移動量とを検出する操作入力部と、
所定のボタンの押下が検出された場合に、該ボタンの押下中に検出されたポインティングデバイスの水平方向移動量と垂直方向移動量とに応じた複数のパラメータに基づいて前記画像データに画像処理として周波数処理を施す画像処理部と、
を有することを特徴とする医用画像処理装置。
【請求項４】
被写体を撮影することにより生成された医用画像データに画像処理を施す医用画像処理装置であって、
画像処理実行中の医用画像データを表示画面に画像表示する画像表示手段と、
ポインティングデバイスに設けられたボタンの押下を検出すると共に、画像上に表示されているポインタを移動させるためのポインティングデバイスの水平方向移動量と垂直方向移動量とを検出する操作入力部と、
所定のボタンの押下が検出された場合に、該ボタンの押下中に検出されたポインティングデバイスの水平方向移動量と垂直方向移動量とに応じた複数のパラメータに基づいて前記画像データに画像処理として階調処理を施し、他の所定のボタンの押下が検出された場合に、該ボタンの押下中に検出されたポインティングデバイスの水平方向移動量と垂直方向移動量とに応じた複数のパラメータに基づいて前記画像データに画像処理として周波数処理を施す画像処理部と、
を有することを特徴とする医用画像処理装置。
【請求項５】
前記画像処理部における周波数処理は周波数強調処理であり、
前記複数のパラメータは、周波数特性の指定と強調度の指定である、
ことを特徴とする請求項３または請求項４に記載の医用画像処理装置。
【請求項６】
前記画像処理部における周波数処理はノイズ抑制処理であり、
前記複数のパラメータは、周波数特性の指定と抑制度の指定である、
ことを特徴とする請求項３または請求項４に記載の医用画像処理装置。
【請求項７】
前記画像処理部は、更に他の所定のボタンの押下が検出された場合に、該ボタンの押下中に検出されたポインティングデバイスの水平方向移動量と垂直方向移動量とに応じた複数のパラメータとして周波数特性と補正係数とに基づいて、前記画像データに画像処理としてイコライゼーション処理を施す、
ことを特徴とする請求項３または請求項４に記載の医用画像処理装置。
【請求項８】
被写体を撮影することにより生成された医用画像データに画像処理を施す医用画像処理プログラムであって、
画像処理実行中の医用画像データを表示画面に画像表示する画像表示ルーチンと、
ポインティングデバイスに設けられたボタンの押下を検出すると共に、画像上に表示されているポインタを移動させるためのポインティングデバイスの水平方向移動量と垂直方向移動量とを検出する操作入力検出ルーチンと、
所定のボタンの押下が検出された場合に、該ボタンの押下中に検出されたポインティングデバイスの水平方向移動量と垂直方向移動量とに応じた複数のパラメータに基づいて前記画像データに画像処理として周波数処理を施す画像処理ルーチンと、
を有することを特徴とする医用画像処理プログラム。
【請求項９】
被写体を撮影することにより生成された医用画像データに画像処理を施す医用画像処理プログラムであって、
画像処理実行中の医用画像データを表示画面に画像表示する画像表示ルーチンと、
ポインティングデバイスに設けられたボタンの押下を検出すると共に、画像上に表示されているポインタを移動させるためのポインティングデバイスの水平方向移動量と垂直方向移動量とを検出する操作入力検出ルーチンと、
所定のボタンの押下が検出された場合に、該ボタンの押下中に検出されたポインティングデバイスの水平方向移動量と垂直方向移動量とに応じた複数のパラメータに基づいて前記画像データに画像処理として周波数処理を施し、他の所定のボタンの押下が検出された場合に、該ボタンの押下中に検出されたポインティングデバイスの水平方向移動量と垂直方向移動量とに応じた複数のパラメータに基づいて前記画像データに画像処理として周波数処理を施す画像処理ルーチンと、
を有することを特徴とする医用画像処理プログラム。
【発明の詳細な説明】
【技術分野】
【０００１】
本発明は放射線画像などの医用画像に所定の画像処理を施す医用画像処理方法および医用画像処理装置ならびに医用画像処理プログラムに関し、さらに詳しくは、ポインティングデバイスを使用した画像処理に適した医用画像処理方法および医用画像処理装置ならびに医用画像処理プログラムに関する。
【背景技術】
【０００２】
近年、放射線画像などの医用画像を、直接デジタル画像として撮影できる装置が開発されている。たとえば、被写体に照射された放射線量を検出し、その検出量に対応して形成される放射線画像を電気信号として得る装置としては、輝尽性蛍光体を用いたディテクタを用いる方法が特開昭55-12429号公報、特開昭63-189853号公報など、多数開示されている。
【０００３】
このような装置では、シート状の基板に輝尽性蛍光体を塗布、あるいは蒸着等によって固着したディテクタに、いったん被写体を透過した放射線を照射して輝尽性蛍光体に放射線を吸収させる。
【０００４】
その後、この輝尽性蛍光体を光または熱エネルギ−で励起することにより、この輝尽性蛍光体が上記吸収によって蓄積している放射線エネルギ−を蛍光として放射させ、この蛍光を光電変換して画像データを得るようにしている。
【０００５】
一方、照射された放射線の強度に応じた電荷を光導電層に生成し、生成された電荷を二次元的に配列された複数のコンデンサに蓄積し、それら蓄積された電荷を取り出すことにより得られる医用画像検出装置（放射線画像検出装置）が提案されている。
【０００６】
このような医用画像検出装置では、フラットパネルディテクタ（ＦＰＤ）と呼ばれるものを使用している。この種のＦＰＤは、特開平9-90048号公報に記載されているように、照射された放射線強度に応じた蛍光を発する蛍光体と、蛍光体から発する蛍光を直接または縮小光学系を介して受光して光電変換を行うフォトダイオードやＣＣＤのような光電変換素子の組み合わせによって実現されるものが知られている。
【０００７】
また特開平6-342098号公報に記載されているように、照射された放射を直接電荷に変換するものも知られている。これらの医用画像検出装置では、取得した画像に対して、診断に適した画像となるよう、階調変換処理やエッジ強調処理などの画像処理を行うのが一般的である。
【０００８】
なお、このようにして得られた画像データに基づく医用画像を表示したり出力する場合、撮影条件の変動を受けることなく見やすい医用画像となるように画像処理が行われている。
【０００９】
そして、この種の医用画像データに対する使い勝手の良い画像処理としては、ポインティングデバイスを使用して処理特性を操作できるものとして、以下の特許文献１に記載されたものがある。
【特許文献１】特開２００２−３３３９７４号公報（第１頁、図１）
【発明の開示】
【発明が解決しようとする課題】
【００１０】
以上の特許文献１に記載された画像処理は、ポインティングデバイスの所定のボタンの押下が検出された場合に、該ボタンの押下中に検出されたポインティングデバイスの水平方向移動量と垂直方向移動量とに応じた複数のパラメータに基づいて、画像データに画像処理として階調処理を施すようにしている。
【００１１】
なお、ポインティングデバイスを使用したインタラクティブな画像処理は階調処理だけであり、周波数処理などの他の画像処理は、プルダウン操作やスクロール操作やボタン操作など別種の操作が必要となっていた。
【００１２】
なお、周波数処理の場合、周波数特性として予め用意された選択肢の中から選択する、あるいは、マスクサイズの指定を行う、といった操作が必要であり、これらの操作のたびに処理特性を決定して周波数処理を実行するものである。
【００１３】
すなわち、周波数処理の場合には階調処理のような連続変化を伴う処理が困難であり、特許文献１に記載されたようなポインティングデバイスを使用した連続的に特性を変化させる画像処理は配慮されていなかった。
【００１４】
なお、周波数処理は医用画像において画質を改善するツールとして一般的になってきており、階調処理とは別種の操作を強いられることは、操作性が単に悪いだけでなく、画像処理を施して所望の状態の画像を得ることを難しくしているという問題もあった。
【００１５】
また、画像処理に際して、ポインティングデバイスへのパラメータの割付を行える場合であっても、画像処理装置の製造メーカーの違いを解決するため、あるいは、画像処理装置で決められた範囲内で割付を変更するため、であり、階調処理のみならず周波数処理についてもポインティングデバイスを用いたインタラクティブな画像処理を行うことに配慮されたものは存在していなかった。
【００１６】
本発明は以上のような課題に鑑みてなされたものであって、ポインティングデバイスを使用してインタラクティブな画像処理を行って所望の状態に画像処理された医用画像を得ることが可能な医用画像処理方法および医用画像処理装置ならびに医用画像処理プログラムを実現することを目的とする。
【課題を解決するための手段】
【００１７】
すなわち、前記した課題を解決は、以下に列記する発明により解決される。
（１）請求項１記載の発明は、被写体を撮影することにより生成された医用画像データに画像処理を施す医用画像処理方法であって、画像処理実行中の医用画像データを表示画面に画像表示し、ポインティングデバイスに設けられたボタンの押下を検出すると共に、画像上に表示されているポインタを移動させるためのポインティングデバイスの水平方向移動量と垂直方向移動量とを検出し、所定のボタンの押下が検出された場合に、該ボタンの押下中に検出されたポインティングデバイスの水平方向移動量と垂直方向移動量とに応じた複数のパラメータに基づいて前記画像データに画像処理として周波数処理を施す、ことを特徴とする医用画像処理方法である。
【００１８】
この発明では、ポインティングデバイスのボタンの押下と移動量（水平方向移動量と垂直方向移動量）とを検出しておき、所定のボタンの押下が検出された場合に、該ボタンの押下中に検出されたポインティングデバイスの水平方向移動量と垂直方向移動量とに応じた複数のパラメータに基づいて、画像データに画像処理として周波数処理を施す。
【００１９】
（２）請求項２記載の発明は、被写体を撮影することにより生成された医用画像データに画像処理を施す医用画像処理方法であって、画像処理実行中の医用画像データを表示画面に画像表示し、ポインティングデバイスに設けられたボタンの押下を検出すると共に、画像上に表示されているポインタを移動させるためのポインティングデバイスの水平方向移動量と垂直方向移動量とを検出し、所定のボタンの押下が検出された場合に、該ボタンの押下中に検出されたポインティングデバイスの水平方向移動量と垂直方向移動量とに応じた複数のパラメータに基づいて前記画像データに画像処理として階調処理を施し、他の所定のボタンの押下が検出された場合に、該ボタンの押下中に検出されたポインティングデバイスの水平方向移動量と垂直方向移動量とに応じた複数のパラメータに基づいて前記画像データに画像処理として周波数処理を施す、ことを特徴とする医用画像処理方法である。
【００２０】
この発明では、ポインティングデバイスのボタンの押下と移動量（水平方向移動量と垂直方向移動量）とを検出しておき、所定のボタンの押下検出中に検出されたポインティングデバイスの水平方向移動量と垂直方向移動量とに応じた複数のパラメータに基づいて、画像データに画像処理として周波数処理を施し、他の所定のボタンの押下検出中に検出されたポインティングデバイスの水平方向移動量と垂直方向移動量とに応じた複数のパラメータに基づいて前記画像データに画像処理として周波数処理を施す。
【００２１】
（３）請求項３記載の発明は、被写体を撮影することにより生成された医用画像データに画像処理を施す医用画像処理装置であって、画像処理実行中の医用画像データを表示画面に画像表示する画像表示手段と、ポインティングデバイスに設けられたボタンの押下を検出すると共に、画像上に表示されているポインタを移動させるためのポインティングデバイスの水平方向移動量と垂直方向移動量とを検出する操作入力部と、所定のボタンの押下が検出された場合に、該ボタンの押下中に検出されたポインティングデバイスの水平方向移動量と垂直方向移動量とに応じた複数のパラメータに基づいて前記画像データに画像処理として周波数処理を施す画像処理部と、を有することを特徴とする医用画像処理装置である。
【００２２】
この発明では、ポインティングデバイスのボタンの押下と移動量（水平方向移動量と垂直方向移動量）とを検出しておき、所定のボタンの押下が検出された場合に、該ボタンの押下中に検出されたポインティングデバイスの水平方向移動量と垂直方向移動量とに応じた複数のパラメータに基づいて、画像データに画像処理として周波数処理を施す。
【００２３】
（４）請求項４記載の発明は、被写体を撮影することにより生成された医用画像データに画像処理を施す医用画像処理装置であって、画像処理実行中の医用画像データを表示画面に画像表示する画像表示手段と、ポインティングデバイスに設けられたボタンの押下を検出すると共に、画像上に表示されているポインタを移動させるためのポインティングデバイスの水平方向移動量と垂直方向移動量とを検出する操作入力部と、所定のボタンの押下が検出された場合に、該ボタンの押下中に検出されたポインティングデバイスの水平方向移動量と垂直方向移動量とに応じた複数のパラメータに基づいて前記画像データに画像処理として階調処理を施し、他の所定のボタンの押下が検出された場合に、該ボタンの押下中に検出されたポインティングデバイスの水平方向移動量と垂直方向移動量とに応じた複数のパラメータに基づいて前記画像データに画像処理として周波数処理を施す画像処理部と、を有することを特徴とする医用画像処理装置である。
【００２４】
この発明では、ポインティングデバイスのボタンの押下と移動量（水平方向移動量と垂直方向移動量）とを検出しておき、所定のボタンの押下検出中に検出されたポインティングデバイスの水平方向移動量と垂直方向移動量とに応じた複数のパラメータに基づいて、画像データに画像処理として周波数処理を施し、他の所定のボタンの押下検出中に検出されたポインティングデバイスの水平方向移動量と垂直方向移動量とに応じた複数のパラメータに基づいて前記画像データに画像処理として周波数処理を施す。
【００２５】
（５）請求項５記載の発明は、前記画像処理部における周波数処理は周波数強調処理であり、前記複数のパラメータは、周波数特性の指定と強調度の指定である、ことを特徴とする請求項３または請求項４に記載の医用画像処理装置である。
【００２６】
この発明では、ポインティングデバイスのボタンの押下と移動量（水平方向移動量と垂直方向移動量）とを検出しておき、所定のボタンの押下検出中に検出されたポインティングデバイスの水平方向移動量と垂直方向移動量とに応じた複数のパラメータとして周波数特性と強調度とに基づいて、画像データに画像処理として周波数処理の一種である周波数強調処理を施す。
【００２７】
（６）請求項６記載の発明は、前記画像処理部における周波数処理はノイズ抑制処理であり、前記複数のパラメータは、周波数特性の指定と抑制度の指定である、ことを特徴とする請求項３または請求項４に記載の医用画像処理装置である。
【００２８】
この発明では、ポインティングデバイスのボタンの押下と移動量（水平方向移動量と垂直方向移動量）とを検出しておき、所定のボタンの押下検出中に検出されたポインティングデバイスの水平方向移動量と垂直方向移動量とに応じた複数のパラメータとして周波数特性と抑制度とに基づいて、画像データに画像処理として周波数処理の一種であるノイズ抑制処理を施す。
【００２９】
（７）請求項７記載の発明は、前記画像処理部は、更に他の所定のボタンの押下が検出された場合に、該ボタンの押下中に検出されたポインティングデバイスの水平方向移動量と垂直方向移動量とに応じた複数のパラメータとして周波数特性と補正係数とに基づいて、前記画像データに画像処理としてイコライゼーション処理を施す、ことを特徴とする請求項３または請求項４に記載の医用画像処理装置である。
【００３０】
この発明では、ポインティングデバイスのボタンの押下と移動量（水平方向移動量と垂直方向移動量）とを検出しておき、所定のボタンの押下検出中に検出されたポインティングデバイスの水平方向移動量と垂直方向移動量とに応じた複数のパラメータとして、周波数特性、および、補正係数（周波数成分の調整量）に基づいて、画像データに画像処理として周波数処理の一種であるイコライゼーション処理を施す。
【００３１】
（８）請求項８記載の発明は、被写体を撮影することにより生成された医用画像データに画像処理を施す医用画像処理プログラムであって、画像処理実行中の医用画像データを表示画面に画像表示する画像表示ルーチンと、ポインティングデバイスに設けられたボタンの押下を検出すると共に、画像上に表示されているポインタを移動させるためのポインティングデバイスの水平方向移動量と垂直方向移動量とを検出する操作入力検出ルーチンと、所定のボタンの押下が検出された場合に、該ボタンの押下中に検出されたポインティングデバイスの水平方向移動量と垂直方向移動量とに応じた複数のパラメータに基づいて前記画像データに画像処理として周波数処理を施す画像処理ルーチンと、を有することを特徴とする医用画像処理プログラムである。
【００３２】
この発明では、ポインティングデバイスのボタンの押下と移動量（水平方向移動量と垂直方向移動量）とを検出しておき、所定のボタンの押下が検出された場合に、該ボタンの押下中に検出されたポインティングデバイスの水平方向移動量と垂直方向移動量とに応じた複数のパラメータに基づいて、画像データに画像処理として周波数処理を施す。
【００３３】
（９）請求項９記載の発明は、被写体を撮影することにより生成された医用画像データに画像処理を施す医用画像処理プログラムであって、画像処理実行中の医用画像データを表示画面に画像表示する画像表示ルーチンと、ポインティングデバイスに設けられたボタンの押下を検出すると共に、画像上に表示されているポインタを移動させるためのポインティングデバイスの水平方向移動量と垂直方向移動量とを検出する操作入力検出ルーチンと、所定のボタンの押下が検出された場合に、該ボタンの押下中に検出されたポインティングデバイスの水平方向移動量と垂直方向移動量とに応じた複数のパラメータに基づいて前記画像データに画像処理として周波数処理を施し、他の所定のボタンの押下が検出された場合に、該ボタンの押下中に検出されたポインティングデバイスの水平方向移動量と垂直方向移動量とに応じた複数のパラメータに基づいて前記画像データに画像処理として周波数処理を施す画像処理ルーチンと、を有することを特徴とする医用画像処理プログラムである。
【００３４】
この発明では、ポインティングデバイスのボタンの押下と移動量（水平方向移動量と垂直方向移動量）とを検出しておき、所定のボタンの押下検出中に検出されたポインティングデバイスの水平方向移動量と垂直方向移動量とに応じた複数のパラメータに基づいて、画像データに画像処理として周波数処理を施し、他の所定のボタンの押下検出中に検出されたポインティングデバイスの水平方向移動量と垂直方向移動量とに応じた複数のパラメータに基づいて前記画像データに画像処理として周波数処理を施す。
【発明の効果】
【００３５】
本願発明によれば、以下に列記するような効果が得られる。
（１）請求項１記載の発明では、ポインティングデバイスのボタンの押下と移動量（水平方向移動量と垂直方向移動量）とを検出しておき、所定のボタンの押下が検出された場合に、該ボタンの押下中に検出されたポインティングデバイスの水平方向移動量と垂直方向移動量とに応じた複数のパラメータに基づいて、画像データに画像処理として周波数処理を施す。これにより、ポインティングデバイスを使用して周波数処理のパラメータを連続的に変化させることができ、ポインティングデバイスを使用してインタラクティブな画像処理を行って所望の状態に画像処理された医用画像を得ることが可能になる。
【００３６】
（２）請求項２記載の発明では、ポインティングデバイスのボタンの押下と移動量（水平方向移動量と垂直方向移動量）とを検出しておき、所定のボタンの押下検出中に検出されたポインティングデバイスの水平方向移動量と垂直方向移動量とに応じた複数のパラメータに基づいて、画像データに画像処理として周波数処理を施し、他の所定のボタンの押下検出中に検出されたポインティングデバイスの水平方向移動量と垂直方向移動量とに応じた複数のパラメータに基づいて前記画像データに画像処理として周波数処理を施す。これにより、ポインティングデバイスを使用して階調処理と周波数処理とのパラメータを連続的に変化させることができ、周波数処理についてプルダウンメニュー等の独立した操作は必要なくなり、階調処理と周波数処理とを相互に連携させることが可能になり、ポインティングデバイスを使用してインタラクティブな画像処理を行って所望の状態に画像処理された医用画像を得ることが可能になる。
【００３７】
（３）請求項３記載の発明では、ポインティングデバイスのボタンの押下と移動量（水平方向移動量と垂直方向移動量）とを検出しておき、所定のボタンの押下が検出された場合に、該ボタンの押下中に検出されたポインティングデバイスの水平方向移動量と垂直方向移動量とに応じた複数のパラメータに基づいて、画像データに画像処理として周波数処理を施す。これにより、ポインティングデバイスを使用して周波数処理のパラメータを連続的に変化させることができ、ポインティングデバイスを使用してインタラクティブな画像処理を行って所望の状態に画像処理された医用画像を得ることが可能になる。
【００３８】
（４）請求項４記載の発明では、ポインティングデバイスのボタンの押下と移動量（水平方向移動量と垂直方向移動量）とを検出しておき、所定のボタンの押下検出中に検出されたポインティングデバイスの水平方向移動量と垂直方向移動量とに応じた複数のパラメータに基づいて、画像データに画像処理として周波数処理を施し、他の所定のボタンの押下検出中に検出されたポインティングデバイスの水平方向移動量と垂直方向移動量とに応じた複数のパラメータに基づいて前記画像データに画像処理として周波数処理を施す。これにより、ポインティングデバイスを使用して階調処理と周波数処理とのパラメータを連続的に変化させることができ、周波数処理についてプルダウンメニュー等の独立した操作は必要なくなり、階調処理と周波数処理とを相互に連携させることが可能になり、ポインティングデバイスを使用してインタラクティブな画像処理を行って所望の状態に画像処理された医用画像を得ることが可能になる。
【００３９】
（５）請求項５記載の発明では、ポインティングデバイスのボタンの押下と移動量（水平方向移動量と垂直方向移動量）とを検出しておき、所定のボタンの押下検出中に検出されたポインティングデバイスの水平方向移動量と垂直方向移動量とに応じた複数のパラメータとして周波数特性と強調度とに基づいて、画像データに画像処理として周波数処理の一種である周波数強調処理を施す。これにより、ポインティングデバイスを使用して周波数強調処理のパラメータを連続的に変化させることができ、周波数強調処理についてプルダウンメニュー等の独立した操作は必要なくなり、ポインティングデバイスを使用してインタラクティブな画像処理を行って所望の状態に画像処理された医用画像を得ることが可能になる。
【００４０】
（６）請求項６記載の発明では、ポインティングデバイスのボタンの押下と移動量（水平方向移動量と垂直方向移動量）とを検出しておき、所定のボタンの押下検出中に検出されたポインティングデバイスの水平方向移動量と垂直方向移動量とに応じた複数のパラメータとして周波数特性と抑制度とに基づいて、画像データに画像処理として周波数処理の一種であるノイズ抑制処理を施す。これにより、ポインティングデバイスを使用してノイズ抑制処理のパラメータを連続的に変化させることができ、ノイズ抑制処理についてプルダウンメニュー等の独立した操作は必要なくなり、ポインティングデバイスを使用してインタラクティブな画像処理を行って所望の状態に画像処理された医用画像を得ることが可能になる。
【００４１】
また、このノイズ抑制処理を周波数強調処理と共にポインティングデバイスで実行できるようにしたことで、周波数強調処理は実行したいが、ノイズは抑えたい、というような場合にも、周波数強調処理とノイズ抑制処理とのバランスを容易にとれるようになる。
【００４２】
（７）請求項７記載の発明では、ポインティングデバイスのボタンの押下と移動量（水平方向移動量と垂直方向移動量）とを検出しておき、所定のボタンの押下検出中に検出されたポインティングデバイスの水平方向移動量と垂直方向移動量とに応じた複数のパラメータとして周波数特性と補正係数（周波数成分の調整量）とに基づいて、画像データに画像処理として周波数処理の一種であるイコライゼーション処理を施す。これにより、ポインティングデバイスを使用してイコライゼーション処理のパラメータを連続的に変化させることができ、イコライゼーション処理についてプルダウンメニュー等の独立した操作は必要なくなり、ポインティングデバイスを使用してインタラクティブな画像処理を行って所望の状態に画像処理された医用画像を得ることが可能になる。
【００４３】
（８）請求項８記載の発明では、ポインティングデバイスのボタンの押下と移動量（水平方向移動量と垂直方向移動量）とを検出しておき、所定のボタンの押下が検出された場合に、該ボタンの押下中に検出されたポインティングデバイスの水平方向移動量と垂直方向移動量とに応じた複数のパラメータに基づいて、画像データに画像処理として周波数処理を施す。これにより、ポインティングデバイスを使用して周波数処理のパラメータを連続的に変化させることができ、ポインティングデバイスを使用してインタラクティブな画像処理を行って所望の状態に画像処理された医用画像を得ることが可能になる。
【００４４】
（９）請求項９記載の発明では、ポインティングデバイスのボタンの押下と移動量（水平方向移動量と垂直方向移動量）とを検出しておき、所定のボタンの押下検出中に検出されたポインティングデバイスの水平方向移動量と垂直方向移動量とに応じた複数のパラメータに基づいて、画像データに画像処理として周波数処理を施し、他の所定のボタンの押下検出中に検出されたポインティングデバイスの水平方向移動量と垂直方向移動量とに応じた複数のパラメータに基づいて前記画像データに画像処理として周波数処理を施す。これにより、ポインティングデバイスを使用して階調処理と周波数処理とのパラメータを連続的に変化させることができ、周波数処理についてプルダウンメニュー等の独立した操作は必要なくなり、階調処理と周波数処理とを相互に連携させることが可能になり、ポインティングデバイスを使用してインタラクティブな画像処理を行って所望の状態に画像処理された医用画像を得ることが可能になる。
【発明を実施するための最良の形態】
【００４５】
以下、図面を参照して本発明の実施をするための最良の形態を詳細に説明する。
本発明の実施をするための最良の形態の医用画像処理方法および医用画像処理装置ならびに医用画像処理プログラムの好適な実施の形態について説明する。なお、これにより本発明が限定されるものではない。
【００４６】
なお、本実施例の形態例の各手段は、ハードウェアやファームウェア、またはソフトウェアで構成することが可能である。
このため、医用画像処理方法の各ステップ，医用画像処理装置の各手段，医用画像処理プログラムの各ルーチンの処理手順に沿った機能ブロック図として、医用画像処理装置のブロック図を図として示す。
【００４７】
以下、本発明の実施するための最良の形態の構成および動作について、図１のブロック図、図２のフローチャート、および、その他の説明図を参照しつつ詳細に説明する。なお、図１における各手段は、画像形成装置の各手段を示すだけでなく、医用画像処理方法の各ステップ、医用画像処理プログラムの各ルーチンを示すものである。
【００４８】
〈全体構成〉
ここで、図１に示す医用画像処理装置１００は、画像処理を実行するに際して各部を制御する制御部１０１、撮影により生成された医用画像データ（原画像データ）の外部機器からの入力を受け付ける入力インタフェース（Ｉ／Ｆ）１０３、本実施形態により画像処理された医用画像データ（処理済み画像データ）を外部機器に対して出力する出力インタフェース（Ｉ／Ｆ）１０４、オペレータからの各種の操作入力を受け付ける操作入力部１１０、操作入力部１１０からの操作に応じて所定のパラメータを生成するパラメータ生成部１２０、画像データを記憶する画像メモリ１３０、画像メモリ１３０に記憶されている画像データに対して画像処理を施す画像処理部１４０、画像処理が施された処理済み画像データを表示画面に表示する表示部１５０、を備えて構成されている。
【００４９】
ここで、操作入力部１１０は、キーボード等のキー入力装置１１１の他に、画面上での入力位置あるいは移動量を指定するためのポインティングデバイス１１２を備えて構成されている。
【００５０】
このポインティングデバイス１１２としては、画面上での入力位置や座標を指定する各種入力機器が該当しており、マウス、トラックパッド、トラックボール、ジョイスティック、ジョイパッド、タブレットなどが該当する。
【００５１】
そして、このポインティングデバイス１１２は、複数のボタンを供えており、押下されたボタンの種類のデータと、水平方向移動量と垂直方向移動量とのデータを、パラメータ生成部１２０に出力する。
【００５２】
また、パラメータ生成部１２０は、ポインティングデバイス１１２で所定のボタンの押下が検出された場合に、該所定のボタンに応じたパラメータであって、該ボタンの押下中に検出されたポインティングデバイスの水平方向移動量と垂直方向移動量とに応じた複数のパラメータを生成する。
【００５３】
ここで、パラメータ生成部１２０が生成するパラメータが、階調処理のためのパラメータである場合には、階調処理の特性を決定するための、ウィンドウセンターのパラメータと、ウィンドウ幅のパラメータとが該当する。
【００５４】
また、ここで、パラメータ生成部１２０が生成するパラメータが、周波数強調処理のためのパラメータである場合には、周波数処理の特性を決定するための、周波数特性の指定のパラメータと、強調度の指定のパラメータが該当する。
【００５５】
また、ここで、パラメータ生成部１２０が生成するパラメータが、ノイズ抑制処理のためのパラメータである場合には、周波数処理の特性を決定するための、周波数特性の指定のパラメータと、抑制度の指定のパラメータが該当する。
【００５６】
また、ここで、パラメータ生成部１２０が生成するパラメータが、イコライゼーション処理のためのパラメータである場合には、周波数処理の特性を決定するための、周波数特性の指定のパラメータと、補正係数（周波数成分の調整量）の指定のパラメータが該当する。
【００５７】
また、画像処理を実行する画像処理部１４０は、画像処理として階調処理を実行する階調処理部１４１と、画像処理として周波数処理を実行する周波数処理部１４２とで構成されている。
【００５８】
階調処理部１４１では、パラメータから階調特性を決定する階調特性決定部１４１ａと、決定された階調特性から階調処理を実行する階調変換処理部１４１ｂとを備えて構成されている。
【００５９】
また、周波数処理部１４２では、操作入力部１１０で指定された周波数特性に基づいて定義パラメータを決定して変換関数を定義する変換関数定義部１４２ａと、複数の画素からなる原画像データに対して複数の非鮮鋭画像データを作成する非鮮鋭画像作成部１４２ｂと、非鮮鋭画像作成部１４２ｂで作成された非鮮鋭画像データに対して変換関数に基づいた変換処理を加える変換処理部１４２ｃと、変換処理された非鮮鋭画像データに基づいて原画像データの複数の周波数帯域毎の信号を表す複数の帯域制限画像データを生成する帯域制限処理部１４２ｄと、複数の帯域制限画像データから原画像データの高周波成分信号を生成する高周波成分作成部１４２ｅと、高周波成分信号を原画像データに加算することで処理済画像データを得る加算処理部１４２ｆ、とから構成されている。
【００６０】
ここで、階調処理とは、階調変換特性曲線を用いて、信号値の階調を変更する画像処理である。また、周波数処理とは、特定の周波数成分を強調あるいは低減する画像処理であり、周波数強調処理、イコライゼーション処理、ノイズ抑制処理などが該当する。
【００６１】
そして、周波数強調処理とは、画像の周波数的な成分で分解した状態で、特定の周波数成分を増減することで、画像の鮮鋭度を調整する画像処理である。また、イコライゼーション処理とは、画像の周波数的な成分で分解した状態で、特定の周波数成分を調整することで、可視濃度領域の最適化を目的とする画像処理である。そして、ノイズ抑制処理とは、画像の周波数的な成分で分解した状態で、特定の周波数成分を増減することで、画像の粒状度を調整する画像処理である。
【００６２】
〈処理の流れ〉
以下、図２のフローチャートを参照しつつ、本実施形態の動作説明を行う。
画像処理装置１００にて、オペレータの操作入力部１１０での所定の操作により、本実施形態の画像処理を実行するための画像処理アプリケーション（画像処理プログラム）が起動される（図２Ｓ１）。以下、画像処理アプリケーションと制御部１０１とによる制御を、単に、制御部１０１による制御と言うことにする。
【００６３】
ここで、制御部１０１は画像処理アプリケーションに従い、ポインティングデバイス１１２に設けられている複数のボタンのそれぞれに対する機能の割り当てを実行する（図２Ｓ２）。
【００６４】
このポインティングデバイス１１２の各ボタンの各機能への割り当ては、オペレータによる手動の割り当てであってもよいが、手動割り当ての希望がない場合には、制御部１０１が自動的に割り当てを実行する。
【００６５】
ここで、ポインティングデバイス１１２の各ボタンの各機能への自動の割り当ての例としては、図３（ａ）に示したように、左ボタン押下：領域指定、右ボタン押下：階調処理、横奥ボタン押下：周波数処理（周波数強調処理）、横手前ボタン押下：周波数処理（ノイズ抑制処理）、を具体例としている。
【００６６】
また、ポインティングデバイス１１２の各ボタンの各機能への自動の割り当ての例としては、図３（ｂ）に示したように、左ボタン押下：領域指定、右ボタン押下：階調処理、左ボタンと右ボタンの同時押下：周波数処理（周波数強調処理）、とすることも可能である。
【００６７】
なお、更に詳細な設定として、各処理の際にポインティングデバイス１１２を上下左右に動かした場合に、どのパラメータがどの方向（増／減）に変化するかについて、自動設定、手動設定することが可能である。たとえば、周波数強調処理の場合に、ポインティングデバイス１１２を左に動かすことで低周波側、右に動かすことで高周波側、上に動かすことで強調度大、下に動かすことで強調度小、といった自動割り当てとすることも可能であるし、さらに、手動割り当てで変更することも可能である。
【００６８】
なお、本願明細書において、ポインティングデバイス１１２をオペレータが机の上などで奥に動かすことを、表示部１５０の画面上でポインタが上に移動することから、便宜上「上」と言うことにする。また、ポインティングデバイス１１２をオペレータが机の上などで手前側に動かすことを、便宜上「下」と言うことにする。
【００６９】
この自動の割り当ての場合、割り当てデータとして予め記憶しておいて、その割り当てデータを適用することが好ましい。また、この割り当てデータをオペレータの好みにより変更できることも望ましい。
【００７０】
なお、図３（ａ）と図３（ｂ）のいずれの場合も、左ボタンと右ボタンの間に設けられているホイールボタンについての割り当てはされていないが、ホイールボタンの押下に対しても、画像処理のいずれかの処理、あるいは、画像処理のその他の処理、たとえば、イコライゼーション処理などを割り当てることが可能である。
【００７１】
なお、このように自動割り当てが実行された後に、割り当て結果を一覧として表示することにより、どのような自動割り当てが実行されたかが明瞭になり望ましい。また、このように自動割り当てが実行された後に、この割り当てを手動割り当てによって変更することも可能である。
【００７２】
ここで、画像処理を施す対象となる処理対象画像の画像データをオペレータが操作入力１１０を介して選択することにより、選択された処理対象画像が表示部１５０に画像表示される（図２Ｓ３）。
【００７３】
図４はこのような画像表示の表示画面の一例であり、ここに示す例では、左側に処理対象画像が画像表示１５２として表示されており、右側には、ポインティングデバイス１１２のボタン割り当て、階調表示の処理特性、周波数特性の処理特性が、表示されている。なお、表示画面には被写体として肺野を含む上半身が表示された様子を示している。
【００７４】
なお、医用画像表示装置１００は、操作入力部１１０にてオペレータから選択された処理対象画像が外部機器に蓄積されている画像である場合には、該当する画像データを入力インタフェース１０３を介して外部機器（図示せず）から受け入れ、画像メモリ１３０に記憶する。
【００７５】
また、画像メモリ１３０に記憶されている画像データや外部機器に蓄積されている画像データが複数存在する場合に以上のような処理対象画像の選択を行えばよく、画像メモリ１３０に記憶されている画像データや外部機器に蓄積されている画像データが単一の場合、あるいは、外部機器から所定の画像データが送信されてくる場合には、処理対象画像の選択を行わずに自動的に表示するようにしてもよい。
【００７６】
ここで、制御部１０１は領域指定に割り当てられたポインティングデバイス１１２の左ボタンの操作を監視している（図２Ｓ４）。ここで、左ボタンを押下した状態（図４（ｂ））で一定の領域を囲むような操作が有れば（図２Ｓ４でＹ）、制御部１０１は、左ボタンの操作により囲まれた領域を選択領域として、画像処理の対象として扱う（図２Ｓ５）と共に、この選択領域に領域枠１５２ａを表示する（図４（ａ）参照）。また、左ボタンの操作がなければ（図２Ｓ４でＮ）、制御部１０１は、画像表示１５２の全体領域を選択領域として、画像処理の対象として扱う（図２Ｓ６）。
【００７７】
なお、ここで、画像データ全体に対してとは、必ずしも画像データの全ての画素を含む意味ではなく、後述する一部領域に対して、一部領域ではない大部分の領域を意味している。従って、関心領域の全体、照射野外を除いた領域の全体、直接放射線照射領域を除いた全体なども、画像データ全体と言った場合に含むものである。
【００７８】
選択領域が決定された後、制御部１０１は、ポインティングデバイス１１２の他のボタンの操作を監視している（図２Ｓ７）。
ここで、ポインティングデバイス１１２の右ボタンの操作があれば（図２Ｓ７で「右」）、制御部１０１は処理対象画像に対して画像処理として階調処理を実行する（図２Ｓ８）。
【００７９】
すなわち、ポインティングデバイス１１２の右ボタンが押下された状態で、ポインティングデバイス１１２が上下あるいは左右に操作された場合、パラメータ生成部１２０は、階調処理の特性を決定するためのウィンドウセンターのパラメータと、ウィンドウ幅のパラメータとを生成する。
【００８０】
そして、これらウィンドウセンターのパラメータとウィンドウ幅のパラメータとにより、階調特性決定部１４１ａが階調特性を決定し、この階調特性に基づいて階調変換処理部１４１ｂが処理対象画像に対して階調処理を実行する。ここで、制御部１０１の制御に基づいて、階調特性決定部１４１ａにより決定された階調特性は、図４右中欄に示すように特性図とパラメータとが表示される。
【００８１】
また、ここで、ポインティングデバイス１１２の横奥ボタンの操作（図５（ｂ）参照）があれば（図２Ｓ７で「横奥」）、制御部１０１は処理対象画像に対して画像処理として周波数強調処理を実行する（図２Ｓ９）。
【００８２】
すなわち、ポインティングデバイス１１２の横奥ボタンが押下された状態で、ポインティングデバイス１１２が右に操作された場合（図５（ｂ）参照）、パラメータ生成部１２０は、周波数強調処理の特性を決定するための周波数特性を、より高周波側で強調処理を実行するように変更したパラメータを生成する。そして、この高周波側で強調処理を実行するように変更したパラメータにより、周波数処理部１４２が以下に説明するようにして、処理対象画像に対して周波数強調処理を実行する。
【００８３】
なお、制御部１０１の制御に基づいて、以上のパラメータにより決定された周波数強調処理特性は、図５右下欄に示すように、特性図（図５（ａ）（１））とパラメータの目安となるバーグラフ（図５（ａ）（２））とが表示される。
【００８４】
すなわち、このようなポインティングデバイス１１２の右側への移動操作とそれによって生成されたパラメータによる高周波側での強調処理の実行に伴い、制御部１０１は、特性図（図５（ａ）（１））の特性曲線を右側（高周波側（実線側））へシフトさせ、バーグラフ（図５（ａ）（２））の表示位置も右側（高周波側）へシフトさせる。なお、実際には、制御部１０１は、ポインティングデバイス１１２の操作量に応じて、連続的にパラメータや特性曲線やバーグラフの表示位置を変化させる。
【００８５】
また、ポインティングデバイス１１２の横奥ボタンが押下された状態で、ポインティングデバイス１１２が左に操作された場合（図６（ｂ）参照）、パラメータ生成部１２０は、周波数強調処理の特性を決定するための周波数特性を、より低周波側で強調処理を実行するように変更したパラメータを生成する。そして、この低周波側で強調処理を実行するように変更したパラメータにより、周波数処理部１４２が以下に説明するようにして、処理対象画像に対して周波数強調処理を実行する。
【００８６】
なお、制御部１０１の制御に基づいて、以上のパラメータにより決定された周波数強調処理特性は、図６右下欄に示すように、特性図（図６（ａ）（１））とパラメータの目安となるバーグラフ（図６（ａ）（２））とが表示される。
【００８７】
すなわち、このようなポインティングデバイス１１２の左側への移動操作とそれによって生成されたパラメータによる低周波側での強調処理の実行に伴い、制御部１０１は、特性図（図５（ａ）（１））の特性曲線を左側（高周波側（実線側））へシフトさせ、バーグラフ（図６（ａ）（２））の表示位置も左側（低周波側）へシフトさせる。なお、実際には、制御部１０１は、ポインティングデバイス１１２の操作量に応じて、連続的にパラメータや特性曲線やバーグラフの表示位置を変化させる。
【００８８】
また、ポインティングデバイス１１２の横奥ボタンが押下された状態で、ポインティングデバイス１１２が上に操作された場合（図７（ｂ）参照）、パラメータ生成部１２０は、周波数強調処理の特性を決定するための周波数特性を、より強調度を上げた強調処理を実行するように変更したパラメータを生成する。そして、この強調度を上げた強調処理を実行するように変更したパラメータにより、周波数処理部１４２が以下に説明するようにして、処理対象画像に対して周波数強調処理を実行する。
【００８９】
なお、制御部１０１の制御に基づいて、以上のパラメータにより決定された周波数強調処理特性は、図７右下欄に示すように、特性図（図７（ａ）（１））とパラメータの目安となる強調度の数値（図７（ａ）（２））とが表示される。
【００９０】
すなわち、このようなポインティングデバイス１１２の上側への移動操作とそれによって生成されたパラメータによる強調度を上げた強調処理の実行に伴い、制御部１０１は、特性図（図７（ａ）（１））の特性曲線を上側（強調度上昇側（実線側））へシフトさせ、強調度の数値（図７（ａ）（２））も上昇させる（「１．０」→「２．０」）。なお、実際には、制御部１０１は、ポインティングデバイス１１２の操作量に応じて、連続的にパラメータや特性曲線や強調度の数値を変化させる。
【００９１】
また、ポインティングデバイス１１２の横奥ボタンが押下された状態で、ポインティングデバイス１１２が下に操作された場合（図８（ｂ）参照）、パラメータ生成部１２０は、周波数強調処理の特性を決定するための周波数特性を、強調度を下げた強調処理を実行するように変更したパラメータを生成する。そして、この強調度を下げた強調処理を実行するように変更したパラメータにより、周波数処理部１４２が以下に説明するようにして、処理対象画像に対して周波数強調処理を実行する。
【００９２】
なお、制御部１０１の制御に基づいて、以上のパラメータにより決定された周波数強調処理特性は、図８右下欄に示すように、特性図（図８（ａ）（１））とパラメータの目安となる強調度の数値（図８（ａ）（２））とが表示される。
【００９３】
すなわち、このようなポインティングデバイス１１２の下側への移動操作とそれによって生成されたパラメータによる強調度を下げた強調処理の実行に伴い、制御部１０１は、特性図（図８（ａ）（１））の特性曲線を下側（強調度下降側（実線側））へシフトさせ、強調度の数値（図８（ａ）（２））も減少させる（「１．０」→「０．７」）。なお、実際には、制御部１０１は、ポインティングデバイス１１２の操作量に応じて、連続的にパラメータや特性曲線や強調度の数値を変化させる。
【００９４】
以上のようにしてポインティングデバイス１１２の操作により生成されたパラメータに基づいて実行する周波数強調処理は、以下のようになっている。
まず、非鮮鋭画像作成部１４２ｂは、原画像データに対してピラミッドアルゴリズムなどを用いて非鮮鋭画像データを作成する。すなわち、非鮮鋭画像作成部１４２ｂからは、周波数特性の異なる複数の周波数帯域の非鮮鋭画像データが得られる。
【００９５】
変換関数定義部１４２ａは、ポインティングデバイス１１２の操作に応じてパラメータ生成部１２０で生成されたパラメータに基づいて、変換関数の定義パラメータを決定して、変換処理のための変換関数を定義している。
【００９６】
変換処理部１４２ｃは、得られた非鮮鋭画像データに対して、ユーザから指定された周波数特性に基づいて定義された変換関数に基づいて、画像データ変換処理を行なう。この画像データ変換処理としては、公知のあらゆる画像データ変換処理技術を用いることができる。
【００９７】
帯域制限処理部１４２ｄは、変換処理部１４２ｃで変換処理された非鮮鋭画像データに基づいて、前記原画像データの複数の周波数帯域毎の信号を表す複数の帯域制限画像データを生成する。
【００９８】
高周波成分作成部１４２ｅは、帯域制限処理部１４２ｄからの複数の帯域制限画像データから、各種処理により高周波成分を抽出して、原画像データの高周波成分信号を生成する。
【００９９】
そして、加算処理部１４２ｆは、高周波成分作成部１４２ｅで作成された高周波成分信号を所定の割合で原画像データに加算することにより、所望の周波数特性により処理がなされた状態の処理済画像データを得る。
【０１００】
このように、周波数特性を操作入力部１１０のポインティングデバイス１１２から指定して、その周波数特性に基づいて変換処理の際の変換関数を定義しているので、ユーザが望んでいる状態の処理済画像を簡単な操作によって得ることが可能になる。
【０１０１】
このように、ポインティングデバイス１１２の操作で周波数特性を指定することにより、設定に必要な様々なパラメータをユーザが意識する必要がなくなり、所望の周波数特性のみを指定すればよく、処理の簡略化が図れる。この場合、ポインティングデバイス１１２の操作に基づいてパラメータ生成部１２０で生成されるパラメータ、ならびに、そのパラメータから作成される周波数特性は、予め定められた範囲内で連続的に変化させる状態とすることが望ましい。
【０１０２】
すなわち、ポインティングデバイス１１２を移動させるのに伴って、周波数特性も連続的に変化して指定されるように構成しておく。このように、予め定められた範囲内で連続的に変化させた状態で周波数特性を指定して、その周波数特性に基づいて変換関数を定義しているので、ユーザが望んでいる状態の処理済画像を、周波数強調の効果が有効な範囲内において簡単な操作によって得ることが可能になる。
【０１０３】
また、ここで、ポインティングデバイス１１２の横手前ボタンの操作があれば（図２Ｓ７で「横手前」）、制御部１０１は処理対象画像に対して画像処理としてノイズ抑制処理を実行する（図２Ｓ１０）。
【０１０４】
そして、以上の処理について、オペレータが処理を続行する場合（図２Ｓ１１でＮ）には、左ボタンの操作に応じて（図２Ｓ１２）、上述した画像処理を繰り返して実行する（図２Ｓ５〜Ｓ１１）。
【０１０５】
なお、以上のフローチャートや画面表示例には示されていないが、イコライゼーション処理について割り当てられたボタンがポインティングデバイス１１２に存在する場合、制御部１０１の指示により、画像処理部１４０は、そのような操作に応じてイコライゼーション処理についても実行する。この場合、ポインティングデバイス１１２を移動させるに伴って、周波数処理としてのイコライゼーション処理の特性を決定するための、周波数特性の指定のパラメータと、補正係数（周波数成分の調整量）の指定のパラメータをパラメータ生成部１２０が生成する。このように、イコライゼーション処理の特性を操作入力部１１０のポインティングデバイス１１２から指定して、その特性に基づいて周波数調整としてのイコライゼーション処理を実行することで、ユーザが望んでいる状態の処理済画像を簡単な操作によって得ることが可能になる。
【０１０６】
以上説明したように、本発明の実施形態によれば、ポインティングデバイス１１２を使用して周波数処理のパラメータを連続的に変化させることができ、ポインティングデバイス１１２を使用してインタラクティブな画像処理を行って所望の状態に画像処理された医用画像を得ることが可能になる。
【０１０７】
また、以上のような本発明の実施形態によれば、ポインティングデバイス１１２を使用して階調処理と周波数処理とのパラメータを連続的に変化させることができ、周波数処理についてプルダウンメニュー等の独立した操作は必要なくなり、階調処理と周波数処理とを相互に連携させることが可能になり、ポインティングデバイス１１２を使用してインタラクティブな画像処理を行って所望の状態に画像処理された医用画像を得ることが可能になる。
【０１０８】
また、以上のような本発明の実施形態によれば、ポインティングデバイス１１２を使用して周波数強調処理のパラメータを連続的に変化させることができ、周波数強調処理についてプルダウンメニュー等の独立した操作は必要なくなり、ポインティングデバイス１１２を使用してインタラクティブな画像処理を行って所望の状態に画像処理された医用画像を得ることが可能になる。
【０１０９】
また、以上のように、ポインティングデバイス１１２の左ボタンで領域を指定し、その領域について横奥ボタンで周波数強調処理を指定し、ポインティングデバイス１１２の上下左右の移動操作で周波数強調処理の特性を変更できるようにしているため、画像内で部分的に強調したい周波数特性や強調度が異なる場合でも、容易に領域毎に特性などを変更
たとえば、胸部放射線画像のように、末梢血管については高周波側で弱く強調をかけたい要望があり、肺門付近では低周波側で強く強調度かけたいという、部分的に異なる特性の周波数強調処理についても、容易に実現が可能になる。
【０１１０】
なお、複数の領域についてそれぞれ別個に選択されて画像処理がなされる場合には、その時点で選択されている、あるいは、その時点でアクティブになっている領域について、図５〜図８の特性曲線やバーグラフや強調度数値が表示される。
【０１１１】
また、以上のような本発明の実施形態によれば、ポインティングデバイス１１２を使用してノイズ抑制処理のパラメータを連続的に変化させることができ、ノイズ抑制処理についてプルダウンメニュー等の独立した操作は必要なくなり、ポインティングデバイス１１２を使用してインタラクティブな画像処理を行って所望の状態に画像処理された医用画像を得ることが可能になる。
【０１１２】
また、このノイズ抑制処理を周波数強調処理と共にポインティングデバイス１１２で実行できるようにしたことで、周波数強調処理は実行したいが、ノイズは抑えたい、というような場合にも、周波数強調処理とノイズ抑制処理とのバランスを容易にとれるようになる。
【０１１３】
たとえば、胸部放射線画像のように、肺野内では画像の粒状性が十分良いため周波数強調処理を実行しても粒状性があまり悪化することはないが、横隔膜下などの低濃度部では周波数強調処理処理により画像の粒状性が悪化するためノイズを抑えたい状況になる。このような部分的に画質が異なる場合であっても、オペレータはポインティングデバイス１１２のボタン押下と上下左右の動かし方で所望の特性の画像処理を容易に実行できるようになる。
【０１１４】
また、以上のような本発明の実施形態によれば、ポインティングデバイス１１２を使用してイコライゼーション処理のパラメータを連続的に変化させることができ、イコライゼーション処理についてプルダウンメニュー等の独立した操作は必要なくなり、ポインティングデバイス１１２を使用してインタラクティブな画像処理を行って所望の状態に画像処理された医用画像を得ることが可能になる。
【０１１５】
なお、ポインティングデバイス１１２を使用したパラメータの指定以外に、従来同様に、数値入力や、特性曲線を変更することによる周波数特性の決定も可能であり、本実施形態の操作に対して各種の操作を併用することも可能である。
【０１１６】
また、本実施形態のポインティングデバイス１１２を使用したパラメータの指定や変更は、予め定められたプリセット値からの変更、あるいは、直前まで使用されていた値からの変更とすることが可能である。
【図面の簡単な説明】
【０１１７】
【図１】本発明の実施するための最良の形態の全体構成を機能的に示すブロック図である。
【図２】本発明の実施するための最良の形態の全体処理の流れを示すフローチャートである。
【図３】本発明の実施するための最良の形態における処理の様子を示す説明図である。
【図４】本発明の実施するための最良の形態における表示の様子を示す説明図である。
【図５】本発明の実施するための最良の形態における表示の様子を示す説明図である。
【図６】本発明の実施するための最良の形態における表示の様子を示す説明図である。
【図７】本発明の実施するための最良の形態における表示の様子を示す説明図である。
【図８】本発明の実施するための最良の形態における表示の様子を示す説明図である。
【符号の説明】
【０１１８】
１０１  制御部
１１０  操作入力部
１１２  ポインティングデバイス
１２０  パラメータ生成部
１３０  画像メモリ
１４０  画像処理部
１５０  表示部
【図１】
2006081782.tif 000003
【図２】
2006081782.tif 000004
【図３】
2006081782.tif 000005
【図４】
2006081782.tif 000006
【図５】
2006081782.tif 000007
【図６】
2006081782.tif 000008
【図７】
2006081782.tif 000009
【図８】
2006081782.tif 000010